(57)【特許請求の範囲】
【請求項１】
頭部（３）と、この頭部中央の孔（３２）から露出する装飾体（４）と、この装飾体（４）が収容される、すり鉢状側壁（５２）と貫通孔（５１）を有する受け座（５）と、この受け座（５）の下部に位置する、脚部（６）付き底板（７）からなる表面部材（１）を、打ち付け機械（Ｍ１，Ｍ２）により、生地（Ｆ）を介してボタン本体（２）に取り付けるボタンの取付方法であって、
前記打ち付け機械（Ｍ１，Ｍ２）に取り付ける前の段階で、前記装飾体（４）を前記頭部（３）と前記受け座（５）の間に挟むときに、前記装飾体（４）外表面と前記すり鉢状側壁（５２）の間に前記貫通孔（５１）と連通する皿状の空間（８）を設けるとともに、前記頭部（３）と前記装飾体（４）との間に隙間（Ｇ）を設け、  
前記打ち付け機械（Ｍ１，Ｍ２）により打ち付けて、前記脚部（６）と前記ボタン本体（１）を結合させるときに前記隙間（Ｇ）をほぼなくす
ことを特徴とするボタンの取付方法。
【請求項２】
打ち付け機械（Ｍ１，Ｍ２）に取り付ける前の段階で、前記皿状の空間（８）を形成する、装飾体（４）外表面と前記すり鉢状側壁（５２）がなす角度（α）が２°〜７°である請求項１記載の方法。
【請求項３】
前記頭部（３）と前記装飾体（４）との間の隙間（Ｇ）が０．１〜２．０ｍｍである請求項１または２記載の方法。
【請求項４】
頭部（３）と、この頭部中央の孔から露出する装飾体（４）と、この装飾体（４）が収容される、すり鉢状側壁（５２）と貫通孔（５１）を有する受け座（５）と、この受け座の下部に位置する、脚部（６）付き底板（７）からなるボタン表面部材（１）であって、
打ち付け機械（Ｍ１，Ｍ２）に取り付ける前の段階で、前記装飾体（４）外表面と前記すり鉢状側壁（５２）の間に前記貫通孔（５１）と連通する皿状の空間（８）が設けられているとともに、前記頭部（３）と前記装飾体（４）との間に隙間（Ｇ）を設けられていることを特徴とするボタン表面部材（１）。
【請求項５】
打ち付け機械（Ｍ１，Ｍ２）に取り付ける前の段階で、前記皿状の空間（８）を形成する、装飾体（４）外表面と前記すり鉢状側壁（５２）がなす角度（α）が２°〜７°である請求項４記載のボタン表面部材（１）。
【請求項６】
前記頭部（３）と前記装飾体（４）との間の隙間（Ｇ）が０．１〜２．０ｍｍである請求項４または５記載のボタン表面部材（１）。
【発明の詳細な説明】
【技術分野】
【０００１】
本発明は、装飾ボタン及びその取付方法に関する。特に、宝石又は模造宝石等の装飾体をはめ込んだボタン表面部材を生地に取り付ける方法及びそれに使用するボタン表面部材に関する。
【背景技術】
【０００２】
宝石又は模造宝石等の装飾体をはめ込んだボタンは、婦人服、袋物、履物等に使用すると華やかさや高級感を醸し出すことができるので好まれている。
【０００３】
従来、装飾体をボタンに取り付ける構造としては、下記特許文献１に開示されるように、リング状に形成され下部に複数の脚を有する固定体に円板状の装飾体を脚側から嵌め込み、固定体の脚を被装飾体に貫通させて屈曲させ固定しているものがあった。
【０００４】
下記特許文献２や３に開示されるものは、底面が平坦に形成された装飾体の外周縁を保持し固定する皿状の保持体よりなり、この保持体の下部に穿設されている貫通孔に糸が通され、糸付けによって被装飾体に固定されるものである。
【０００５】
下記特許文献４に開示されるように、貫通孔が穿設されたビーズ状の装飾体を、中央に糸通し孔が穿設された糸付けボタンに取り付けたものがあった。この装飾体の貫通孔には糸が通されており、糸付けボタンの糸通し孔を介して被装飾体に糸付けで固定するものである。
【０００６】
下記特許文献５に開示されるように、下部が錐形に形成された装飾体を、表面に凹部が形成されたボタンに、その下部が埋没するように嵌め込み接着固定し、このボタンを糸付けによって被装飾体に固定しているものがあった。
【０００７】
本出願人も特許文献６において、錐形のパビリオン部を有する装飾体と、装飾体が保持される保持部を有する固定部とで構成され、被装飾体に取付け固定される装飾具を開示している。固定部は、保持部から装飾体のキューレットを囲み延出する筒状の挿通部が設けられている雄部と、挿通部が挿通される挿通孔を有する雌部とで構成され、挿通部を被装飾体に穿設される貫通孔に貫通させ、雄部と雌部とをかしめて被装飾体に固定している。
【特許文献１】実開平３−３１３０７号公報
【特許文献２】実開平４−２０８号公報
【特許文献３】実開平４−７４００８号公報
【特許文献４】実用新案登録第３０８６５８８号公報
【特許文献５】実開平２−５０２０５号公報
【特許文献６】特開２００４−３３７３５４公報
【発明の開示】
【発明が解決しようとする課題】
【０００８】
上記特許文献６では、その従来の技術の欄において、先行する特許文献１−５の欠点を分析して指摘している（同公報［００１０］−［００１７］参照）。その中では先行技術の欠点とされておらず、特許文献６自身も免れていない欠点がある。それは、装飾体を表面部材に埋め込む工程及び装飾体を埋め込んだ表面部材をボタン本体に取り付ける工程において、力をかけたときに装飾体が欠けたり、割れたりしやすいということである。装飾体は、宝石のようにカットしたガラス加工品であることが多いが、これが金属の爪や縁部で強く押圧されるからである。そのため、製造がかなりの程度職人技となり、装飾ボタンの大量生産や衣服等へのボタン取付の自動化が困難であった。
【０００９】
また、特許文献６では、次のような点の改良が求められていた。
（１）装飾体をダイキャストでくるんで打ち付けているが、そのときに使用する金型の費用が高く、ダイキャストの刻印を変えるだけでさらに費用がかかっていた。
（２）装飾体の強度を上げるために厚みを持たせていたが、嵩が高くなりスナップボタンには不向きなものとなっていた。さらに、強度を上げようとして、装飾体の露出面積も小さくなりがちであった。
【００１０】
本発明は、上記課題を解消するために、装飾体を表面部材に埋め込む工程及び装飾体を埋め込んだ表面部材をボタン本体に取り付ける工程において、装飾体が欠けたり、割れたりしないような装飾体の取付方法、及びそれに使用するボタン表面部材を提供することを目的とする。付随的には、金型の費用を節減すること、装飾体の厚みを減少させること、装飾体の露出面積を増やすことも目的とする。
【課題を解決するための手段】
【００１１】
本発明のボタンの取付方法は、頭部と、この頭部中央の孔から露出する装飾体と、この装飾体が収容される、すり鉢状側壁と貫通孔を有する受け座と、この受け座の下部に位置する、脚部付き底部からなる表面部材を、打ち付け機械により、生地を介してボタン本体に取り付けるボタンの取付方法であって、前記打ち付け機械に取り付ける前の段階で、前記装飾体を前記頭部と前記受け座の間に挟むときに、前記装飾体外表面と前記すり鉢状側壁の間に前記貫通孔と連通する皿状の空間を設けるとともに、前記頭部と前記装飾体の間に隙間を設け、前記打ち付け機械により打ち付けて、前記脚部と前記ボタン本体を結合させるときに前記隙間をほぼなくすことを特徴とする。
【００１２】
本発明のボタン表面部材は、打ち付け機械に取り付ける前の段階では、頭部と、この頭部中央の孔から露出する装飾体と、この装飾体が収容される、すり鉢状側壁と貫通孔を有する受け座と、この受け座の下部に位置する、脚部付き底部からなり、前記装飾体外表面と前記すり鉢状側壁の間に前記貫通孔と連通する皿状の空間が設けられているとともに、前記頭部と前記装飾体の間に隙間を設けられていることを特徴とする。
【発明の効果】
【００１４】
本発明によると、打ち付け機械に取り付ける前の段階で、装飾体外表面と受け座の間に皿状の空間が設けられているとともに、前記頭部と前記装飾体の間に隙間を設けられている。そのため、装飾体を表面部材に埋め込む工程及び装飾体を埋め込んだ表面部材をボタン本体に取り付ける工程において、装飾体にかかる力を逃がすことができ、装飾体自体には大きな力が加わらないようにすることができる。従って装飾体が欠けたり、割れたりすることは極めて少なくなり、製造に職人技を必要としなくなった。その結果、本発明では、装飾ボタンの大量生産や衣服等へのボタン取付の自動化が可能となった。
【００１５】
また、装飾体自体には大きな力が加わらないので、比較的に薄い装飾体を使用することもでき、スナップボタンとして相応しいものとなった。また、前カンとしても使用可能となった。
【発明を実施するための最良の形態】
【００１６】
本発明のボタン表面部材は、頭部と、この頭部中央の孔から露出する装飾体と、この装飾体が収容される受け座と、この受け座の下部に位置する、脚部付き底部からなる。
【００１７】
頭部は、中央に孔があり、ボタンの完成時にはここから装飾体が露出する。頭部は刻印を入れやすくするため、真鍮製とすることが好ましい。これにより、金型のダイキャストではなく、プレス加工により刻印を入れることができ、金型の費用を削減することができる。
【００１８】
装飾体は、ダイヤ状にカットされた宝石又は模造宝石で、断面が菱形で、上下に向かって錐体を形成している。実際には、クリスタルガラス加工品であることが多い。例えば、業界では、製造会社名に由来する「スワロフスキー」（商標）という名で知られているクリスタルガラス加工品を使用することができる。
【００１９】
受け座は、孔の側壁が上方に向かってすり鉢状に広がっている円板である。かしめるときに力を逃がす上で、中央に貫通孔を設けるのが好ましい。
【００２０】
底板は、下部中央に筒状脚部を有する皿状円板である。
【００２１】
本発明のボタン表面部材及びボタン本体への取付方法においては、打ち付け機械に取り付ける前の段階で、装飾体の錐体外表面と受け座の間に皿状の空間が設けられる。装飾体外表面と受け座がなす角度は、鋭角であることが必要であり、好ましくは２°〜８０°、より好ましくは３°〜７°である。さらに、この皿状の空間の底面は前記受け座の貫通孔出口と連通させるのが好ましい。
【００２２】
同時に、衣服への取付前のボタン表面部材は、頭部を上にして見たとき、頭部と装飾体との間に隙間を設けられていることも必須である。この隙間は０．１〜２．０ｍｍ程度であることが好ましい。
【００２３】
ボタン本体は、ボタンの雄部材又は雌部材であり、ボタン表面部材の脚部によりかしめることができるものであれば、どのようなものでも使用することができる。
【実施例１】
【００２４】
以下、添付の図面に基づき、本発明の実施例を説明する。
【００２５】
図１は、本実施例に係るボタン表面部材の展開斜視図である。これはボタンの表面部材１であり、生地に取り付けるときには、図３に示すように、ボタン本体２（この例では雌部材）と一体化される。
【００２６】
図１に示すように、この表面部材１は４部品からなる。図１において上から、頭部３、装飾体４、受け座５、脚部６付き底板７である。
【００２７】
頭部３は、真鍮製で、逆さにした皿のような形状であり、盛り上がった周縁部３１を有する。中央に円形の貫通孔３２があり、その周囲が隆起部３３となっている。隆起部３３と周縁部の間は平坦部３４である。ボタンの完成時には貫通孔３２から装飾体４が露出する。頭部３にはプレス加工により、刻印を施すことができる。
【００２８】
装飾体４は、ダイヤ状にカットされたクリスタルガラス加工品で、断面が菱形で、上下に向かって錐体を形成している。業界では、製造会社名に由来する「スワロフスキー」（商標）という名で知られている。
【００２９】
受け座５は、アルミダイキャスト円板で、中央に貫通孔５１があり、孔の側壁５２が上方に向かってすり鉢状に広がっている。貫通孔５１の最下部は小さな出口５４を形成している。底面の周縁部は浅く削られてリング状の溝５３を形成している（図２参照）。
【００３０】
底板７は、真鍮製で、下部中央に筒状脚部６を有する皿状円板７１である。円板７１は一部が切り抜かれて反転させられており、その反転部７２が筒状脚部６の上端をふさいでいる（図２参照）。
【００３１】
図２は、図１の各部品を組み立てた状態の断面図である。頭部１と装飾体４との間には隙間Ｇを設けて、両者を接触させないことが大切である。この実施例では、隙間Ｇは約０．３mmである。装飾体４と受け座５の間には、皿状の空間８が発生する。この実施例では、受け座５と装飾体４外表面とのなす角度（α）は約５度である。さらに、この皿状の空間８の底面は前記受け座５の貫通孔出口５４と連通している。
【００３２】
このボタンの製法を図３及び図４に基づいて説明する。図３は、打ち込み機械による打ち付け前のボタンの断面図、図４は、打ち付け後（完成状態）のボタンの断面図である。
【００３３】
打ち付け機械へ部品をセットするときは、図１及び２と上下を逆にして打ち付ける方が便利である。まず、頭部３の上に装飾体４を乗せ、装飾体４の上に受け座５に乗せる。その後、底板７を乗せて、頭部３の周縁部３１で受け座５と底板７をかしめる。底部の円板７１は、受け座５の浅い溝に位置する（図３，４参照）。
【００３４】
前記したように、図１及び２の状態で頭部３と装飾体４との間には隙間Ｇがあるので、上下を逆にすると、その隙間が装飾体４と受け座５の間に移動する。打ち付け前の表面部材１においては、頭部３と装飾体４との間又は装飾体４と受け座５の間に隙間Ｇがあることが大切である。これにより、装飾体４が頭部３と受け座５の間で押圧を受けて割れるような事態が避けられる。
【００３５】
次いで、生地Ｆを挟んでボタン本体２（この例では雌部材）に打ち込む。図４に示すように、下金型Ｍ１は、頭部３の平坦部３４のみに接触し、その他の部分には接触しないようにセットすることが大切である。
【００３６】
図４に示すように、上下金型Ｍ１，Ｍ２による押圧により、脚部６は外方に開き、ボタン本体２をかしめてボタン表面部材１とボタン本体２は生地Ｆに固定される。このとき、太い矢印で示すように受け座５の周辺が持ち上がり気味になり、逆に中央が下がり気味になるので、押圧による力が逃げる。受け座５と装飾体４表面とのなす角度（α）はさらに縮まり急激な接触が避けられるので、装飾体４自体には大きな力が加わらない。
【００３７】
上下金型Ｍ１，Ｍ２を外せば、表面部材１を有するボタン２が生地Ｆに取り付けられている。この最終状態では、隙間Ｇはなくなり、装飾体４を有する表面部材１がボタン本体２に固定されている。
【図面の簡単な説明】
【００３８】
【図１】本実施例に係るボタン表面部材の展開斜視図である。
【図２】本実施例に係るボタン表面部材の断面図である。
【図３】打ち付け機械による取付前のボタンの断面図である。
【図４】打ち付け機械による取付後のボタンの断面図である。
【符号の説明】
【００３９】
１     表面部材
２     ボタン本体
３     頭部
３１   周縁部
３２   孔
３３   隆起部
３４   平坦部
４     装飾体
５     受け座
５１   貫通孔
５２   側壁
５３   溝
６     脚部
７     底板
７１   円板
７１   皿状円板
７２   反転部
８     空間
Ｇ     隙間
Ｍ１，Ｍ２    上下金型
【図１】
0004726695.tif 000002
【図２】
0004726695.tif 000003
【図３】
0004726695.tif 000004
【図４】
0004726695.tif 000005